(57)【要約】  キャンドル(１)では、円筒状のカップ(２)の内部に入れた液状燃料(４)を、自己保形性のある固形燃料あるいは半固形燃料からなるシール層(３)によってシールしてある。液状燃料(４)がカップ(２)から漏れ出ることが無いので、固形燃料からなるキャンドルと同様に、工場において予め制作しておき、設置場所に搬入して設置することができるので便利である。芯材(５)に火を付けると、最初に、芯材(５)によって吸い上げられている液状燃料(４)が燃焼し、液状燃料(４)が無くなった後に、シール層(３)を形成している固形あるいは半固形燃料が燃焼する。液状燃料(４)とシール層(３)を形成している固形燃料あるいは半固形燃料の火炎色が異なるようにしておけば、燃焼が進むと火炎色が切り替わる装飾性に優れたキャンドルを得ることができる。
2008029494.tif 000002
【特許請求の範囲】
【請求項１】
底の付いた筒状容器と、
この筒状容器の上端開口部を封鎖している固形燃料あるいは半固形燃料からなるシール層と、
このシール層によって封鎖された前記筒状容器の内部に封入されている液状燃料と、
この液状燃料を吸い上げ可能な毛細管力を備えた芯材とを有し、
この芯材は前記液状燃料に浸漬され、その上端部分が前記シール層を通って当該シール層から上方に突出していることを特徴とするキャンドル。
【請求項２】
前記液状燃料の火炎色と、前記シール層を形成している固形燃料あるいは半固形燃料の火炎色が異なることを特徴とする請求項１に記載のキャンドル。
【請求項３】
前記芯材として、第１および第２の芯材を有しており、
前記第１の芯材は前記液状燃料に浸漬され、その上端部分が前記シール層を通って当該シール層から上方に突出しており、
前記第２の芯材はその下端部分が前記シール層内に固定され、その上端部分が当該シール層から上方に突出していることを特徴とする請求項２に記載のキャンドル。
【請求項４】
前記筒状容器の筒状胴部における前記シール層に対峙する部位には、当該シール層を形成している半固形あるいは固形燃料の火炎色に対応する色が表示されており、
前記筒状胴部における前記液状燃料が封入されている部位には、当該液状燃料の火炎色に対応する色が表示されていることを特徴とする請求項２に記載のキャンドル。
【請求項５】
前記筒状容器の内部において、その底面上に形成した固形燃料あるいは半固形燃料からなる芯材固定層を有し、
この芯材固定層と前記シール層の間に前記液状燃料が封入されており、
前記芯材の下端部分は前記芯材固定層に固定されていることを特徴とする請求項１に記載のキャンドル。
【請求項６】
前記筒状容器の内部において、その底面上に形成した固形燃料あるいは半固形燃料からなる芯材固定層と、
この芯材固定層の表面に載せた芯材止め板とを有し、
前記芯材固定層と前記シール層の間に前記液状燃料が封入されており、
前記芯材の下端部分は前記芯材止め板に固定されており、
前記芯材固定層は加熱されると溶融状態になり、当該芯材固定層に載せてある前記芯材止め板が当該芯材固定層内に埋没していくことを特徴とする請求項１に記載のキャンドル。
【請求項７】
前記液体燃料、前記シール層および前記芯材固定層は、それぞれ、火炎色が異なることを特徴とする請求項６に記載のキャンドル。
【請求項８】
前記シール層によってシールされている前記筒状容器の内部を上側部分および下側部分に仕切っている固形燃料あるいは半固形燃料からなる仕切り層を有しており、
これら上側部分および下側部分には、それぞれ液状燃料が封入されており、
前記芯材は、前記下側部分から仕切り層、前記上側部分および前記シール層を通って上方に延びていることを特徴とする請求項１に記載のキャンドル。
【請求項９】
前記上側部分に封入されている前記液体燃料の火炎色と、前記下側部分に封入されている前記液体燃料の火炎色とが異なることを特徴とする請求項８に記載のキャンドル。
【請求項１０】
前記シール層を形成している固形燃料または半固形燃料の火炎色と、前記仕切り層を形成している固形燃料あるいは半固形燃料の燃焼色とが異なることを特徴とする請求項８に記載のキャンドル。
【請求項１１】
前記筒状容器には、当該筒状容器の内部を仕切っている仕切り板が一体形成されており、
この仕切り板によって、前記筒状容器の内部は、前記シール層によってシールされた複数の区画室に仕切られており、
各区画室に液状燃料が封入されており、
各区画室に前記芯材が配置されていることを特徴とする請求項１に記載のキャンドル。
【請求項１２】
各区画室に封入されている前記液体燃料は、相互に、火炎色が異なることを特徴とする請求項１１に記載のキャンドル。
【請求項１３】
前記筒状容器は、固形燃料あるいは半固形燃料から形成されていることを特徴とする請求項１に記載のキャンドル。
【請求項１４】
前記筒状容器は、内側筒状容器と外側筒状容器とを備えており、
前記内側筒状容器は、固形燃料あるいは半固形燃料からなる成形品であり、
前記外側筒状容器は、耐熱性素材からなる容器であることを特徴とする請求項１に記載のキャンドル。
【請求項１５】
請求項１４に記載のキャンドルの製造方法であって、
成形型として前記外側筒状容器を用意し、
加熱すると溶融して流動状態になり、常温においてはゲル状態に固まる燃料を、前記外側筒状容器に注入してゲル状態に固化させることにより、当該外側筒状容器の底部分に、所定厚さの前記内側筒状容器の底板部分を形成し、
前記外側筒状容器の内部に形成された前記底板部分の上に、当該外側筒状容器よりも小さな筒状体を入れ、
この状態で、前記燃料を、前記外側筒状容器および前記筒状体の間の筒状空間に注入してゲル状態に固化させて前記内側筒状容器の筒状胴部を形成することにより、前記底板部分に前記筒状胴部が一体化された前記内側筒状容器を形成し、
前記筒状体を取り外し、
前記芯材の下端部分が固定されている前記芯材止板を前記内側筒状容器の前記底板部分の表面に載せ、
この状態で、前記液状燃料を当該内側筒状容器に注入し、
しかる後に、前記燃料を前記内側筒状容器の前記液状燃料の表面を覆う状態に注入してゲル状態に固化させて前記シール層を形成することを特徴とするキャンドルの製造方法。
【発明の詳細な説明】
【技術分野】
【０００１】
本発明は、結婚式などのパーティなどにおいて装飾品として用いられるキャンドルに関するものである。さらに詳しくは、燃焼時間に伴って火炎色が切り替わるキャンドルに関するものである。
【背景技術】
【０００２】
パーティなどにおいては各色の火炎を発生しながら燃えるキャンドルが使用されている。このようなキャンドルは、特許文献１、２に開示されている。特許文献１に開示のキャンドルでは、繊維糸の芯に無機系のナトリウム塩などの炎色反応物質を含浸させている。また、芯の長さ方向に沿って異なる炎色反応物質を含浸させた部分を配置し、燃焼が進むに連れて炎の色を変化させるようにしている。特許文献２に開示のキャンドルでは、その長さ方向に沿って、発色元素が付着している炎色反応部分と、発色元素が付着していない非炎色反応部分とを交互に配置して、燃焼が進むに連れて炎の色を変化させるようにしている。特許文献３、４および５には、火炎色の着色性などを改善するための発明が開示されている。【０００３】
一方、特許文献６にはキャンドル用燃焼液が開示されており、特許文献７には各色の火炎色で燃焼する燈油組成物が提案されている。これらに開示されている燈油組成物を含むオイルを用いることにより、装飾効果に優れた各色の炎を出して燃焼するオイルランプを実現できる。
【特許文献１】特開平５−２７１６８７号公報
【特許文献２】特開２００４−１４３３１８号公報
【特許文献３】特開２００３−３３６０９０号公報
【特許文献４】特開２００４−２２５０２３号公報
【特許文献５】特開２００５−８９７５０号公報
【特許文献６】特開２００２−３３２４８９号公報
【特許文献７】特開２００３−１９３０７３号公報
【０００４】
ここで、パラフィンなどの固形燃料からなるキャンドルは、工場において事前に制作しておき、使用場所に搬入するだけでよい。これに対して、液体、ゲル状、ゼリー状などの自己保形性の無い液状燃料、例えば、特許文献６に開示のオイルを用いてキャンドル(オイルランプ)を製作する場合には、それが使用されるパーティ会場などにおいて、容器に液状燃料を入れ、そこに芯材を浸漬してキャンドルを製作して、設置場所に置く作業が必要である。
【発明の開示】
【０００５】
本発明の課題は、このような点に鑑みて、各色の火炎色を出しながら燃焼する液状燃料を用いて構成された、取り扱いが簡単なキャンドルを提案することにある。
【０００６】
また、本発明の課題は、燃焼が進むに連れて火炎色が異なる色に切り替わる、取り扱いが簡単なキャンドルを提案することにある。
【０００７】
上記の課題を解決するために、本発明のキャンドルは、
底の付いた筒状容器と、
この筒状容器の上端開口部を封鎖している固形燃料あるいは半固形燃料からなるシール層と、
このシール層によって封鎖された筒状容器の内部に封入されている液状燃料と、
この液状燃料を吸い上げ可能な毛細管力を備えた芯材とを有し、
この芯材は液状燃料に浸漬され、その上端部分がシール層を通って当該シール層から上方に突出していることを特徴としている。
【０００８】
本発明のキャンドルにおいては、筒状容器内に、固形燃料あるいは半固形燃料からなる自己保形性のあるシール層によって、液体あるいはゼリー状の自己保形性の無い液状燃料が封入されている。したがって、通常の取り扱い時に、液状燃料が筒状容器から漏れ出ることが無い。したがって、固形燃料からなるキャンドルと同様に、工場において予め製作しておき、設置場所に搬入して設置することができるので便利である。
【０００９】
本発明のキャンドルにおいては、芯材に火を付けると、芯材によって吸い上げられている液状燃料が最初に燃焼する。液状燃料が無くなった後に、シール層を形成している固形あるいは半固形燃料が燃焼する。したがって、液状燃料のみ、または、固形あるいは半固形燃料のみからなるキャンドルの場合と同様な燃焼時間を確保できる。
【００１０】
液状燃料の火炎色と、シール層を形成している固形燃料あるいは半固形燃料の火炎色とを異なるようにしておけば、燃焼が進むと火炎色が切り替わる。よって、装飾用のキャンドルとして用いるのに適している。
【００１１】
ここで、芯材を複数本配置することも可能である。この場合には、一方の芯材のみを液状燃料に浸漬して、その上端部分をシール層を通って当該シール層から上方に突出させておき、他方の芯材は液状燃料に触れないようにシール層に固定しておくことができる。このようにすれば、一方の芯材は、最初は液状燃料を燃料として燃え、次に固形あるいは半固形燃料を燃料として燃える。これに対して、他方の芯材は最初から最後まで固形あるいは半固形燃料を燃料として燃える。液状燃料の火炎色および固形あるいは半固形燃料の火炎色を異なるものとしておけば、各芯材が異なる火炎色を発しながら燃えるので、装飾性に優れたキャンドルを実現できる。
【００１２】
また、筒状容器の筒状胴部におけるシール層に対峙する部位に、当該シール層を形成している半固形あるいは固形燃料の火炎色に対応する色を表示し、筒状胴部における液状燃料が封入されている部位に、当該液状燃料の火炎色に対応する色を表示しておくことができる。このようにすれば、キャンドルに火を付ける前に、当該キャンドルの火炎色を確認できるので便利である。
【００１３】
次に、本発明のキャンドルは、
底の付いた筒状容器と、
この筒状容器の上端開口部を封鎖している固形燃料あるいは半固形燃料からなるシール層と、
このシール層によって封鎖された筒状容器の内部に封入されている液状燃料と、
この液状燃料を吸い上げ可能な毛細管力を備えた芯材とを有し、
この芯材は液状燃料に浸漬され、その上端部分がシール層を通って当該シール層から上方に突出しており、
さらに、筒状容器の内部において、その底面上に形成した固形燃料あるいは半固形燃料からなる芯材固定層を有し、
この芯材固定層とシール層の間に液体燃料が封入されており、
芯材の下端部分は芯材固定層に固定されていることを特徴としている。
【００１４】
本発明のキャンドルにおいては、筒状容器の底面上に形成した芯材固定層に芯材の下端部分が固定される。したがって、芯材の下端部分が液状燃料内において浮き上がった状態になってしまうなどの弊害を防止できる。
【００１５】
また、芯材に火を付けると、まず、液状燃料が燃焼し、次に、シール層を形成している半固形あるいは固形燃料が燃焼し、最後に、芯材固定層を形成している半固形あるいは固形燃料が燃焼する。したがって、液体燃料、シール層および芯材固定層の火炎色を異なるものとしておけば、三色の火炎色に切り替わる装飾性に優れたキャンドルを得ることができる。
【００１６】
次に、本発明のキャンドルは、
底の付いた筒状容器と、
この筒状容器の上端開口部を封鎖している固形燃料あるいは半固形燃料からなるシール層と、
このシール層によって封鎖された筒状容器の内部に封入されている液状燃料と、
この液状燃料を吸い上げ可能な毛細管力を備えた芯材とを有し、
この芯材は液状燃料に浸漬され、その上端部分がシール層を通って当該シール層から上方に突出しており、
さらに、筒状容器の内部において、その底面上に形成した固形燃料あるいは半固形燃料からなる芯材固定層と、
この芯材固定層の表面に載せた芯材止め板とを有し、
芯材固定層とシール層の間に前記液体燃料が封入されており、
芯材の下端部分は芯材止め板に固定されており、
芯材固定層は加熱されると溶融状態になり、当該芯材固定層に載せてある芯材止め板が当該芯材固定層内に埋没していくようになっていることを特徴としている。
【００１７】
液体燃料の燃焼による熱によりシール層が加熱されて溶融して下降すると、それに伴って、シール層から上方に突出している芯材の上端部分の突出量が増加し、火炎が大きくなり過ぎてしまう。本発明では、芯材を支持している芯材止め板が芯材固定層に載っており、芯材固定層は加熱されると溶融状態になり、芯材止め板が下降していく。この結果、芯材が全体として下降するので、芯材におけるシール層から上方に突出している上端部分の突出量の増加を抑制できる。よって、形成される火炎が大きくなり過ぎることを防止できる。
【００１８】
次に、本発明のキャンドルは、
底の付いた筒状容器と、
この筒状容器の上端開口部を封鎖している固形燃料あるいは半固形燃料からなるシール層と、
このシール層によって封鎖された筒状容器の内部に封入されている液状燃料と、
この液状燃料を吸い上げ可能な毛細管力を備えた芯材とを有し、
この芯材は液状燃料に浸漬され、その上端部分がシール層を通って当該シール層から上方に突出しており、
さらに、シール層によってシールされている筒状容器の内部を上側部分および下側部分に仕切っている固形燃料あるいは半固形燃料からなる仕切り層を有しており、
上側部分および下側部分には、それぞれ液状燃料が封入されており、
芯材は、下側部分から仕切り層、上側部分およびシール層を通って上方に延びていることを特徴としている。
【００１９】
芯材に火を付けると、上側部分の液体燃料、下側部分の液体燃料、シール層を形成している半固形あるいは固形燃料、仕切り層を形成している半固形あるいは固形燃料の順に燃焼する。
【００２０】
ここで、上側部分に封入されている液体燃料の火炎色と、下側部分に封入されている液体燃料の火炎色とを異なるものとすることができる。また、シール層を形成している固形燃料または半固形燃料の火炎色と、仕切り層を形成している固形燃料あるいは半固形燃料の燃焼色とを異なるものとすることができる。このようにすれば、燃焼に連れて火炎色が順次に変化する装飾性に優れたキャンドルを得ることができる。
【００２１】
次に、シール層によって封鎖されている筒状容器内を、半固形あるいは固形燃料からなる仕切り層によって上下に仕切る代わりに、筒状容器に一体形成した仕切り板によって左右に仕切ることもできる。この場合には、各区画室に液状燃料を封入すると共に、各区画室に芯材を配置すればよい。また、各区画室に封入されている液体燃料の火炎色を異なるものとすることができる。
【００２２】
一方、本発明で用いる筒状容器としては透明容器を用いることができるが、この代わりに着色した筒状容器を用いることもできる。例えば、シール層に対峙している筒状容器の筒状胴部の部位には当該シール層の火炎色に対応する色を塗布し、液状燃料が封入されている部分に対応する筒状胴部の部位には、当該液状燃料の火炎色に対応する色を塗布しておけばよい。このようにすれば、火炎色の変化を筒状容器の筒状胴部の着色状態から知ることができるので便利である。
【００２３】
また、筒状容器を、固形燃料あるいは半固形燃料から形成することもできる。
【００２４】
さらに、筒状容器を、内側筒状容器と外側筒状容器から構成し、内側筒状容器を固形燃料あるいは半固形燃料からなる成形品とし、外側筒状容器を耐熱性素材からなる容器とすることもできる。
【００２５】
この構成のキャンドルは次のように製造することができる。
【００２６】
まず、成形型として外側筒状容器を用意する。次に、加熱すると溶融して流動状態になり、常温においてはゲル状態に固まる燃料を、外側筒状容器に注入してゲル状態に固化させることにより、当該外側筒状容器の底部分に、所定厚さの内側筒状容器の底板部分を形成する。次に、外側筒状容器の内部に形成された前記底板部分の上に、当該外側筒状容器よりも小さな筒状体を入れ、この状態で、燃料を、外側筒状容器および筒状体の間の筒状空間に注入してゲル状態に固化させて内側筒状容器の筒状胴部を形成することにより、底板部分に筒状胴部が一体化された内側筒状容器を形成する。この後は、筒状体を取り外し、芯材の下端部分が固定されている芯材止め板を内側筒状容器の底板部分の表面に載せ、この状態で、液状燃料を当該内側筒状容器に注入する。しかる後に、燃料を内側筒状容器の液状燃料の表面を覆う状態に注入してゲル状態に固化させてシール層を形成すればよい。
【図面の簡単な説明】
【００２７】
【図１】本発明の実施の形態１に係るキャンドルを示す斜視図、縦断面図および側面図である。
【図２】図１のキャンドルの変形例を示す縦断面図である。
【図３】本発明の実施の形態２に係るキャンドルを示す縦断面図である。
【図４】(ａ)および(ｂ)は、それぞれ、本発明の実施の形態３に係るキャンドルを示す縦断面図であり、(ｃ)は芯材が下降しない場合の火炎状態を示す説明図である。
【図５】本発明の実施の形態４に係るキャンドルを示す縦断面図である。
【図６】本発明の実施の形態５に係るキャンドルを示す縦断面図である。
【図７】(ａ)および(ｂ)は、本発明の実施の形態６に係るキャンドルの斜視図および縦断面図である。
【図８】図７のキャンドルの製造工程を示す説明図である。
【発明を実施するための最良の形態】
【００２８】
以下に、図面を参照して本発明を適用したキャンドルの実施の形態を説明する。【００２９】
(実施の形態１)
図１(ａ)、(ｂ)および(ｃ)は、実施の形態１に係るキャンドルを示す斜視図、縦断面図および側面図である。キャンドル１は、ガラス製あるいはプラスチック製のカップ２を有している。カップ２は円盤状の底板部分２ａと、上方に向けて僅かに広がっている円筒状胴部２ｂとを備えている。カップ２として多角形断面のものを用いることもできる。このカップ２内には、その円形の上端開口縁２ｃからわずかに下がった位置に、パラフィンなどを固めて形成した一定厚さのシール層３が配置されている。このシール層３によってカップ２の上端開口部が封鎖されている。このシール層３によって封鎖されたカップ２の内部には液状燃料４が封入されている。また、カップ２内には可燃性の繊維素材から形成した一定太さの芯材５が配置されている。【００３０】
芯材５はカップ２の中心軸線に沿って配置されている。その下端５ａは、カップ２の底板部分２ａの表面における中心に取り付けた円盤状の芯止め板６に固定されており、その上端部分５ｄはシール層３から上方に所定の長さだけ突出している。芯材５の下端５ａと上端部分５ｄの間は、液体燃料４に浸漬している部分５ｂと、シール層３を貫通した状態で当該シール層３に固定されている部分５ｃとなっている。【００３１】
ここで、液状燃料４としては、たとえば、特開２００３−１９３０７３号公報に開示されている燈油組成物を含む燈油を用いることにより、赤色、緑色、オレンジ色、黄色、青色、紫色、薄紫色、ホワイトローズ色などの火炎色で燃えるものを用いている。芯材５の毛細管力によって吸い上げ可能な燃料であればよく、例えば、ゼリー状の流動性のある燃料であってもよい。また、その他の液状燃料、例えば、特開２００２−３３２４８９号公報に開示のキャンドル用燃焼液を用いてもよい。【００３２】
これに対して、シール層３は、パラフィンなどを固めることにより形成したものであり、常温状態において自己保形性を持ち、液状燃料４が漏洩を防止可能なシール性を備えたものであれば、パラフィン以外の固形あるいは半固形燃料であってもよい。本例では、金属などの炎色反応物質、あるいは前述の公開公報(特開２００３−１９３０７３号公報)に開示の燈油組成物が含有され、有色の火炎を発生させながら燃えるようにしてある。【００３３】
また、カップ２は透明なものであってもよいが、本例では、その円筒状胴部２ｂの外周面には、図１(ｃ)において斜線で示すように、シール層３の外周面部分に対峙する部位２Ａ、および、液状燃料４の封入部分に対峙する部位２Ｂには、それぞれの火炎色が塗布されている。【００３４】
この構成のキャンドル１においては、自己保形性のある固形燃料あるいは半固形燃料からなるシール層３によって、液体あるいはゼリー状の自己保形性の無い液状燃料４がカップ２の内部に封入されている。したがって、液状燃料がカップ２から漏れ出ることが無いので、キャンドル１を工場において予め制作しておき、パーティ会場などの設置場所に搬入して設置することができる。【００３５】
また、キャンドル１の芯材５に火を付けると、芯材５によって吸い上げられている液状燃料４がまず燃焼し、液状燃料が無くなった後に、シール層３を形成している固形あるいは半固形燃料が燃焼することが確認された。【００３６】
したがって、同一の大きさのカップ２に、液状燃料のみを入れた場合、または、固形あるいは半固形燃料を充填した場合と同程度の燃焼時間を確保できる。また、最初に燃える液状燃料の火炎色と、後で燃えるシール層の火炎色が異なるので、燃焼が進むと火炎色が切り替わる装飾用に適したキャンドルを得ることができる。【００３７】
なお、本例では１本の芯材５のみを配置してあるが、複数本の芯材５を配置することも可能である。例えば、２本の芯材を配置する場合には、図２に示すように、一方の芯材５１のみを液状燃料４に浸漬し、他方の芯材５２を液状燃料４に触れないようにシール層３の内部に固定しておくことができる。このようにすれば、一方の芯材５１は、上記の芯材５と同様に火炎色が途中で切り替わる。他方の芯材５２は同一の火炎色のままで燃え尽きる。【００３８】
(実施の形態２)
図３は本発明の実施の形態２に係るキャンドルを示す縦断面図である。キャンドル２０は、底２２ｂの付いた円筒状容器２２と、この円筒状容器２２の上端開口部２２ｄを封鎖している固形燃料あるいは半固形燃料からなるシール層２３と、シール層２３によって封鎖された円筒状容器２２の内部に封入されている液状燃料２４と、液状燃料２４を吸い上げ可能な毛細管力を備えた芯材２５とを有している。【００３９】
円筒状容器２２の内部における底面上には、固形燃料あるいは半固形燃料からなる一定厚さの円盤状の芯材固定層２７が形成されている。芯材２５は、芯材固定層２７に埋設させてそこに固定した下端部分２５ａと、液状燃料２４に浸漬している部分２５ｂと、シール層２３を貫通して延びている部分２５ｃと、シール層２３から上方に突出している上端部分２５ｄとを備えている。【００４０】
液状燃料２４は上記のキャンドル１の液体燃料４と同様なものを用いることができる。また、シール層２３および芯材固定層２７は上記のキャンドル１のシール層３に用いた半固形あるいは固形燃料と同様なものを用いることができる。【００４１】
キャンドル２０においても、上記のキャンドル１と同様な作用効果を得ることができる。すなわち、芯材２５に火を付けると、まず、液状燃料２４が燃焼し、次に、シール層２３を形成している半固形あるいは固形燃料が燃焼し、最後に、芯材固定層２７を形成している半固形あるいは固形燃料が燃焼する。したがって、液体燃料２４、シール層２３および芯材固定層２７の火炎色を異なるものとしておけば、三色の火炎色に切り替わる装飾性に優れたキャンドル２０を得ることができる。【００４２】
なお、円筒状容器２２の外周面部分に、層状に、上から、シール層２３、液体燃料２４、芯材固定層２７の火炎色を付けておくことができる。このようにすれば、火炎色の切り替わりを事前に知ることができるので便利である。【００４３】
(実施の形態３)
図４(ａ)および(ｂ)は、本発明の実施の形態３に係るキャンドルを示す縦断面図である。キャンドル１２０は、底１２２ｂの付いた円筒状容器１２２と、この円筒状容器１２２の上端開口部１２２ｄを封鎖している固形燃料あるいは半固形燃料からなるシール層１２３と、シール層１２３によって封鎖された円筒状容器１２２の内部に封入されている液状燃料１２４と、液状燃料１２４を吸い上げ可能な毛細管力を備えた芯材１２５とを有している。【００４４】
円筒状容器１２２の内部における底面上には、固形燃料あるいは半固形燃料からなる一定厚さの円盤状の芯材固定層１２７が形成されている。芯材１２５は、下端部分１２５ａと、液状燃料１２４に浸漬している部分１２５ｂと、シール層１２３を貫通している部分１２５ｃと、シール層１２３から上方に突出している上端部分１２５ｄとを備えている。芯材１２５の下端はプラスチック製などの円盤状の芯材止め板１２６に固定されている。芯材止め板１２６は、芯材固定層１２７の表面に載せてある。【００４５】
液状燃料１２４は上記のキャンドル１の液体燃料４と同様なものを用いることができる。また、シール層１２３および芯材固定層１２７は上記のキャンドル１のシール層３に用いた半固形あるいは固形燃料と同様なものを用いることができる。【００４６】
ここで、芯材固定層１２７は加熱されると溶融して流動状態になり、当該芯材固定層１２７に載せてある芯材止め板１２６が当該芯材固定層内に埋没していくようになっている。本例のシール層１２３は自己保形性のあるゲル状態の層であり、加熱されると溶融して流動状態になり、液状燃料１２４の消費に伴って、筒状容器１２２の筒状胴部１２２ｃの内周面に沿って下降していく。【００４７】
液体燃料１２４の燃焼に伴ってシール層１２３が下降していくと、それに伴って、シール層１２３から上方に突出している芯材１２５の上端部分１２５ｄの突出量が増加し、火炎が大きくなり過ぎてしまう。図４(ｃ)はこの状態を示してある。【００４８】
本例では、図４(ｂ)に示すように、芯材１２５を支持している芯材止め板１２６が芯材固定層１２７に載っており、芯材固定層１２７は加熱されると溶融して流動状態になり、芯材止め板１２６が下降していく。この結果、芯材１２５が全体として下降するので、芯材１２５におけるシール層１２３から上方に突出している上端部分１２５ｄの突出量の増加を抑制できる。よって、形成される火炎が大きくなり過ぎることを防止できる。【００４９】
なお、本例のキャンドル１２０においても、上記のキャンドル１と同様な作用効果を得ることができる。すなわち、芯材１２５に火を付けると、まず、液状燃料１２４が燃焼し、次に、シール層１２３を形成している半固形あるいは固形燃料が燃焼し、最後に、芯材固定層１２７を形成している半固形あるいは固形燃料が燃焼する。したがって、液体燃料１２４、シール層１２３および芯材固定層１２７の火炎色を異なるものとしておけば、三色の火炎色に切り替わる装飾性に優れたキャンドル１２０を得ることができる。【００５０】
なお、円筒状容器１２２の外周面部分に、層状に、上から、シール層１２３、液体燃料１２４、芯材固定層１２７の火炎色を付けておくことができる。このようにすれば、火炎色の切り替わりを事前に知ることができるので便利である。【００５１】
(実施の形態４)
図５は本発明の実施の形態４に係るキャンドルを示す縦断面図である。キャンドル３０は、底３２ｂの付いた円筒状容器３２と、円筒状容器３２の上端開口部３２ｄを封鎖している固形燃料あるいは半固形燃料からなるシール層３３と、シール層３３によって封鎖された筒状容器の内部に封入されている液状燃料３４と、液状燃料３４を吸い上げ可能な毛細管力を備えた芯材３５とを有している。【００５２】
また、シール層３３によってシールされている円筒状容器３２の内部は、一定厚さの円盤状の仕切り層３７によって上側部分３２Ａおよび下側部分３２Ｂに仕切られている。仕切り層３７は固形燃料あるいは半固形燃料から形成されている。液体燃料３４として、上側部分３２Ａに封入された液体燃料３４Ａと、下側部分３２Ｂに封入された液状燃料３４Ｂが用いられている。これらは同一の火炎色のものであってもよいが、本例では、異なる火炎色を出すものを用いている。芯材３５は、下側部分３２Ｂから仕切り層３７、上側部分３２Ａおよびシール層３３を通って上方に延びている。【００５３】
液状燃料３４Ａ、３４Ｂは上記のキャンドル１の液体燃料４と同様なものを用いることができる。また、シール層３３および仕切り層３７も上記のキャンドル１のシール層３に用いた半固形あるいは固形燃料と同様なものを用いることができる。【００５４】
キャンドル３０によっても実施の形態１のキャンドル１と同様な作用効果を得ることができる。すなわち、芯材３５の上端３５ｄに火を付けると、まず、上側部分３２Ａの液体燃料３４Ａが吸い上げられながら燃え、これが無くなると、下側部分３２Ｂの液体燃料３４Ｂが吸い上げられながら燃える。これが無くなると、シール層３３を形成している半固形あるいは固形燃料が燃え、最後に、仕切り層３７を形成している半固形あるいは固形燃料が燃える。【００５５】
また、本例では、上側部分３２Ａに封入されている液体燃料３４Ａの火炎色と、下側部分３２Ｂに封入されている液体燃料３４Ｂの火炎色とを異なるものとされている。また、シール層３３を形成している固形燃料または半固形燃料の火炎色と、仕切り層３７を形成している固形燃料あるいは半固形燃料の火炎色も相互に異なり、しかもこれらの火炎色は液体燃料の火炎色のいずれとも異なるものとしてある。したがって、燃焼に連れて火炎色が三回変化する装飾性に優れたキャンドルを得ることができる。【００５６】
なお、円筒状容器３２の外周面部分に、層状に、上から、シール層３３、液体燃料３４Ａ、仕切り層３７、および液体燃料３４Ｂの火炎色を付けておくことができる。このようにすれば、火炎色の切り替わりを事前に知ることができるので便利である。【００５７】
(実施の形態５)
図６は本発明の実施の形態４に係るキャンドルを示す縦断面図である。キャンドル４０は、底４２ｂの付いた円筒状容器４２と、円筒状容器４２の上端開口部４２ｄを封鎖している固形燃料あるいは半固形燃料からなるシール層４３と、シール層４３によって封鎖された筒状容器４２の内部に封入されている液状燃料４４と、液状燃料４４を吸い上げ可能な毛細管力を備えた２本の芯材４５、４６とを有している。【００５８】
シール層４３によってシールされている円筒状容器４２の内部は、一定厚さの垂直仕切り板４７によって左側部分４２Ａおよび右側部分４２Ｂに仕切られている。垂直仕切り板４７は円筒状容器４２に一体形成されている。別個に形成した仕切り板を取り付けてもよい。ここで、液体燃料４４として、左側部分４２Ａに封入された液体燃料４４Ａと、右側部分４２Ｂに封入された液状燃料４４Ｂが用いられている。これらは同一の火炎色のものであってもよいが、本例では、異なる火炎色を出すものを用いている。芯材４５は、左側部分４２Ａの液体燃料４４Ａに浸漬され、その上端部分がシール層４３を貫通して上方に突出している。他方の芯材４５Ｂは、右側部分４２Ｂの液体燃料４４Ｂに浸漬され、その上端部分がシール層４３を貫通して上方に突出している。【００５９】
液状燃料４４Ａ、４４Ｂは上記のキャンドル１の液体燃料４と同様なものを用いることができる。また、シール層４３も上記のキャンドル１のシール層３に用いた半固形あるいは固形燃料と同様なものを用いることができる。【００６０】
キャンドル４０によって実施の形態１のキャンドル１と同様な作用効果を得ることができる。また、双方の芯材４５Ａ、４５Ｂが異なる火炎色を出して燃えるので、装飾性に優れたキャンドルを得ることができる。【００６１】
なお、円筒状容器４２の外周面部分におけるシール層４３、液体燃料４４Ａ、４４Ｂに対峙した部分に、それらの火炎色を付けておくことができる。【００６２】
(実施の形態６)
図７(ａ)および(ｂ)実施の形態６に係るキャンドルを示す斜視図および縦断面図である。キャンドル１００は、固形燃料あるいは半固形燃料を用いて成形したカップ１０２を有している。カップ１０２は円盤状の底板部分１０２ａと、上方に向けて僅かに広がっている円筒状胴部１０２ｂとを備えている。カップ１０２として多角形断面のものを用いることもできる。このカップ１０２の上端開口部１０２ｃは、固形燃料あるいは半固形燃料を用いて成形した一定厚さのシール層１０３によって封鎖されている。このシール層１０３によって封鎖されたカップ１０２の内部には液状燃料１０４が封入されている。また、カップ１０２内には可燃性の繊維素材から形成した一定太さの芯材１０５が配置されている。【００６３】
芯材１０５の下端１０５ａは、カップ１０２の底板部分１０２ａの表面における中心に取り付けた円盤状の芯材止め板１０６に固定されており、その上端部分１０５ｄはシール層１０３から上方に所定の長さだけ突出している。芯材１０５の下端１０５ａと上端部分１０５ｄの間は、液体燃料１０４に浸漬している部分１０５ｂと、シール層１０３を貫通した状態でそこに固定されている部分１０５ｃとなっている。【００６４】
ここで、液状燃料１０４としては、たとえば、特開２００３−１９３０７３号公報に開示されている燈油組成物を含む燈油を用いることにより、赤色、緑色、オレンジ色、黄色、青色、紫色、薄紫色、ホワイトローズ色などの火炎色で燃えるものを用いている。芯材１０５の毛細管力によって吸い上げ可能な燃料であればよく、例えば、ゼリー状の流動性のある燃料であってもよい。また、その他の液状燃料、例えば、特開２００２−３３２４８９号公報に開示のキャンドル用燃焼液を用いてもよい。【００６５】
これに対して、カップ１０２およびシール層１０３は、例えばパラフィンなどを固めることにより形成したものである。シール層１０３は、常温状態において自己保形性を持ち、液状燃料４の漏洩を防止可能なシール性を備えており、加熱すると溶融して流動性状を呈するものであればよい。本例のシール層１０３およびカップ１０２は、金属などの炎色反応物質、あるいは前述の公開公報(特開２００３−１９３０７３号公報)に開示の燈油組成物が含有されており、有色の火炎を発生させながら燃える。【００６６】
この構成のキャンドル１００においては、固形燃料あるいは半固形燃料からなる自己保形性のあるカップ１０２およびシール層１０３によって、液体あるいはゼリー状の自己保形性の無い液状燃料１０４が封入されている。したがって、液状燃料がカップ１０２から漏れ出ることが無いので、キャンドル１００を工場において予め製作しておき、パーティ会場などの設置場所に搬入して設置することができる。【００６７】
また、キャンドル１００の芯材１０５に火を付けると、芯材１０５によって吸い上げられている液状燃料１０４がまず燃焼し、液状燃料が無くなった後に、シール層１０３およびカップ１０２を形成している固形あるいは半固形燃料が燃焼することが確認された。【００６８】
次に、図８は、この構成のキャンドル１００の製造工程を示す説明図である。この図に従ってキャンドル１００の製造方法を説明する。【００６９】
まず、成形型として用いるカップ状の外側筒状容器１１１を用意する(ＳＴ１)。外側筒状容器１１１はプラスチック製、ガラス製、金属製などの耐熱容器である。【００７０】
次に、加熱すると溶融して流動状態になり、常温においてはゲル状態に固まる燃料を、加熱して流動状態にして、外側筒状容器１１１に注入する。当該外側筒状容器１１１の深さの約１／３程度まで注入し、注入した流動状態の燃料をゲル状態に固化させ、当該外側筒状容器１１１の底部分に、カップ１０２(内側筒状容器)の底板部分１０２ａを形成する(ＳＴ２)。【００７１】
次に、外側筒状容器１１１の内部に形成された底板部分１０２ａの上に、当該外側筒状容器１１１よりも小さな耐熱カップ１１２を入れる(ＳＴ３)。この状態で、流動状態となるように加熱してある燃料を、外側筒状容器１１１およびカップ１１２の間の筒状空間に注入してゲル状態に固化させて、カップ１０２の筒状胴部１０２ｂを形成する(ＳＴ４)。この結果、底板部分１０２ａに筒状胴部１０２ｂが一体化されたカップ１０２が得られる。【００７２】
この後は、カップ１１２を取り外し、芯材１０５の下端部分１０５ａが固定されている芯材止め板１０６をカップ１０２の底板部分１０２ａの表面に載せる(ＳＴ５)。この状態で、液状燃料１０４を当該カップ１１２に注入する(ＳＴ６)。次に、流動状態となるように加熱してある燃料を、カップ１０２の液状燃料１０４の表面を覆う状態に注入してゲル状態に固化させてシール層１０３を形成する(ＳＴ７)。最後に、外側筒状容器１１１を取り外すことにより、キャンドル１００が得られる。なお、外側筒状容器１１１に入ったままの状態(ＳＴ７)で、使用することも可能である。
【図１】
2008029494.tif 000003
【図２】
2008029494.tif 000004
【図３】
2008029494.tif 000005
【図４】
2008029494.tif 000006
【図５】
2008029494.tif 000007
【図６】
2008029494.tif 000008
【図７】
2008029494.tif 000009
【図８】
2008029494.tif 000010
【国際調査報告】
2008029494.tif 000011
2008029494.tif 000012